(57)【特許請求の範囲】
【請求項１】
アンテナと、該アンテナを介して電波を無線上に送受信する無線部と、キーボードを含む入力部と、該入力部からの情報および前記無線部からの情報を受け無線部に指令する制御部と、を有する非折畳式携帯電話機において、
前記携帯電話機の本体内に該本体の縦方向軸心線の水平面に対する傾き角度を検出するためのセンサーを備えた傾き検出部を有し、前記センサーが、前記傾き角度が所定のキー入力受付禁止角度範囲上限値（Ａ）よりも小さい状態であることを検出した時、前記制御部は前記入力部の操作を無効とし、前記入力部の操作のこの無効状態のときに電話の着信があると、前記制御部は通話キーが押されたものとみなすことを特徴とする、誤動作防止機能付き携帯電話機。
【請求項２】
前記所定のキー入力受付禁止角度範囲上限値（Ａ）は、５°ないし３０°の間の任意の角度（Ａ1 ）に設定され得る、請求項１記載の誤動作防止機能付き携帯電話機。
【請求項３】
前記所定のキー入力受付禁止角度範囲上限値（Ａ）が前記任意の角度（Ａ1 ）に設定されるとともに、該設定角度（Ａ1 ）よりも僅かに大きい所定のキー入力受付可能角度範囲下限値（Ｂ）の任意の角度（Ｂ1 ）が設定され得る、請求項２記載の誤動作防止機能付き携帯電話機。
【請求項４】
電話機本体内に加速度検出部が備えられ、該加速度検出部は、電話機本体の動きの加速度を検出し、その検出値が所定の加速度値よりも大きい値の時、その旨の情報を制御部に送り、それにより、該制御部は、前記入力部の入力操作を無効とする状態にある場合に、電話の着信があった時、通話キーが押されたものとみなす、請求項１ないし３のいずれか１項記載の誤動作防止機能付き携帯電話機。
【請求項５】
前記電話機の本体の動きは、電話機のすべての方向への平行移動および全ての方向への回転運動を含む、請求項４記載の誤動作防止機能付き携帯電話機。
【発明の詳細な説明】
【０００１】
【発明の属する技術分野】
本発明は誤動作防止機能付き携帯電話機に関する。
【０００２】
【従来の技術】
従来、とくに非折畳式の携帯電話機においては、キーボードが露出しているので、誤動作防止についてその対策が種々講ぜられてきた。従来のこの種の、意図していないキー入力による誤動作防止としては、外部から設定可能なキー入力禁止のスイッチを設けて使用者がオン／オフ等の設定を行う方法がある。しかし、この従来技術だけでは以下の問題がある。
それは、使用者がオン／オフのスイッチを設定していなければなければ意味を持たないことである。
【０００３】
【発明が解決しようとする課題】
そこで、本発明の目的は、以上の問題を解決するように、非折畳式携帯電話機の本体に傾きを検出するためのセンサーを設置し、ある基準値を超える傾きを検出した場合に外部入力操作を無効にすることにより、使用者に特に意識させることなく、使用者が意図していないキー入力による誤動作を防止するできる、誤動作防止機能付き携帯電話機を提供することである。
【０００４】
【課題を解決するための手段】
本発明の誤動作防止機能付き携帯電話機は、
アンテナと、このアンテナを介して電波を無線上に送受信する無線部と、キーボードを含む入力部と、この入力部からの情報および無線部からの情報を受け無線部に指令する制御部と、を有する非折畳式携帯電話機において、
携帯電話機の本体内にこの本体の縦方向軸心線の水平面に対する傾き角度を検出するためのセンサーを備えた傾き検出部を有し、センサーは、傾き角度が所定のキー入力受付禁止角度範囲上限値（Ａ）よりも小さい状態であることを検出した時、制御部は入力部の操作を無効とし、入力部の操作のこの無効状態のときに電話の着信があると、制御部は通話キーが押されたものとみなす。
【０００５】
なお、所定のキー入力受付禁止角度範囲上限値（Ａ）は、５°ないし３０°の間の任意の角度（Ａ1 ）に設定され得る、ことが好ましく、
さらに、所定のキー入力受付禁止角度範囲上限値（Ａ）が任意の角度（Ａ1 ）に設定されるとともに、この設定角度（Ａ1 ）よりも僅かに大きい所定のキー入力受付可能角度範囲下限値（Ｂ）の任意の角度（Ｂ1 ）が設定され得る、ことも一層好ましい。
【０００７】
なお、電話機本体内に加速度検出部が備えられ、この加速度検出部は、電話機本体の動きの加速度を検出し、その検出値が所定の加速度値よりも大きい値を検出した時、その情報を制御部に送り、それにより、該制御部が入力部の入力操作を無効とする状態にある場合に、電話の着信があった時、通話キーが押されたものとみなす、ことも好ましく、この電話機の本体の動きは、電話機のすべての方向への平行移動および全ての方向への回転運動を含む、ものであることも一層好ましい。
【０００８】
これらの結果、（1）使用者が特に意識をしなくても意図しないキー入力に対して誤動作を防止できること、（2）着信に対する応答の際のキー入力回数を減らすことができるという利点を有する。
【０００９】
【発明の実施の形態】
次に、本発明の実施の形態について図面を参照して説明する。
【００１０】
図１は、本発明の誤動作防止機能付き携帯電話機の一実施形態例の機構を示すブロック図、図３（ａ）は、電話機本体の縦軸線方向Ｌを示す斜視図、（ｂ）は、縦軸線方向Ｌが本体の横方向に傾く例を示す正面図、（ｃ）は、縦軸線方向Ｌが本体の前後方向に傾く例を示す側面図である。
【００１１】
本携帯電話機は、アンテナ１とその電波を無線上に送受信を行う無線部２、その制御を行う制御部３、外部からのキー入力をキー情報として制御部３へ伝える入力部４、電話機の装置本体の傾きを検出する傾き検出部５で構成される。
【００１２】
図１および図３を参照して説明する。入力部４から入力されたキー入力等の信号は制御部３に入力される。端末本体の傾きが設定したキー入力受付禁止角度範囲内であるか否かを検出する傾き検出部５の出力は制御部３に入力される。制御部３では傾き検出部５で上述のキー入力受付禁止角度範囲（水平面に対する傾き角度上限（Ａ））内の傾きであった場合、入力部５からの情報を無効とする。したがって、端末本体がバッグの中などで寝かされた状態での誤動作を防止することが可能となる。また、電話の着信時に、検出部５が、本体の傾きが上述のキー入力受付禁止角度範囲内にあることを検出した場合、制御部３は傾き検出部５の情報により有効に通話キーを押されたものとして動作を行う。したがって、使用者は通話キーを押す動作を省くことが可能となる。
【００１３】
次に、本実施形態例の動作について詳細に説明する。
【００１４】
誤動作防止のための傾きの上限基準値を水平面に対する角度を（Ａ）とする。入力部４で入力されたキー入力情報は制御部３に入力される。傾き検出部５では装置の傾きを検出し、キー入力受付禁止角度範囲上限（Ａ）以内の傾きを検出したかどうかを制御部３に入力する。制御部３では傾き検出部５からの入力値が、上述のキー入力受付禁止角度範囲上限（Ａ）よりも大きいことを示す場合にはそのままキー受付可能であり、その禁止上限（Ａ）内（例えば水平面に対し（Ａ1 ））であることを示している場合には入力部４からのキー入力値を無効にする。このように、装置が上述の限界値（Ａ）よりも小さい傾き角（Ａ1 ）を検出した場合に、制御部３がキー入力値を無効とするので、使用者の予期していないキー入力に対して誤動作が防止される。
【００１５】
限界値（Ａ）よりも小さい傾斜角の状態から通話の状態にするための、すなわち通話可能に追認するための基準値すなわち通話可能傾斜角下限値（Ｂ）との間に若干の差を設ける。すなわち、この通話可能傾斜角下限値（Ｂ）の設定値（Ｂ1 ）には着信時の実際の傾き角度（Ａ1 ）よりも若干（例えば５°）範囲を広げるよう適宜設定する。これは、本体が限界内外を頻繁に変移するときに予測される不安定状態を緩和し円滑に範囲を変位させるためのアイドル角度ゾーンを設けたものである。したがって、通話者がこのアイドル角度ゾーンを頻繁に通過往復するような操作をすることは好ましくないことはいうまでもない。
【００１６】
また通話禁止上限値（Ａ）以下の状態時に電話の着信があった場合、装置の傾きが通話可能下限値（Ｂ）を含む傾きを検出したものとして、傾き検出部５は制御部３へ入力する。その際、制御部３は、入力部４のキー入力とは無関係に通話キーが入力部４から入力されたものとして動作を行う。したがって、当初通話禁止上限以下に傾いた状態からの復帰動作で通話が可能となるので、使用者の通話キーを押すという動作を減らすことができる。
【００１７】
次に、本発明の第２の実施形態例について図面を参照して詳細に説明する。
【００１８】
図２は、第２の実施形態例の機構を示すブロック図である。
【００１９】
本実施形態例は、図１に示された第１の実施形態例の機構を示すブロック図に対し加速度センサーである加速度検出部６を有する点が異なる。図２および図３を参照して説明する。
【００２０】
誤動作防止のための傾きの入力禁止範囲上限を（Ａ）とする。入力部４で入力されたキー入力情報は制御部３に入力される。傾き検出部５では装置の傾きを検出し入力禁止範囲上限（Ａ）よりも小さい傾きを検出したかどうかを制御部３に入力する。制御部３では傾き検出部５からの入力値がこの上限（Ａ）内であることを示している場合に入力部４からのキー入力値を無効にする。装置が上限（Ａ）内の傾きを検出した場合、制御部３がキー入力値を無効とするので使用者の予期していないキー入力に対して誤動作が防止される。
【００２１】
この禁止範囲上限値（Ａ）以内の状態から通話の状態にするための基準値として入力復帰下限値（Ｂ）を設定する。禁止範囲上限値（Ａ）内にある状態の時に電話の着信があった場合、装置の傾きが入力復帰下限値（Ｂ）よりも大きい傾きの検出を傾き検出部５は制御部３へ出力する。加速度検出部６では禁止範囲上限値（Ａ）以内の状態から戻す動作での加速度を検出し制御部３へ出力する。制御部３は入力部４のキー入力とは無関係に通話キーが入力部４から入力されたものとして動作を行う。傾き検出部５の検出結果に加えて加速度検出部６で加速度を検出することによって禁止範囲内に傾いた状態からの復帰の検出確率が増加する効果が得られる。また、加速度検出部６での加速度検出結果を入力部４からのキー入力値とは互いに無関係に独自に、制御部３が他のキー入力値に割り当てて処理を行うことによりキー入力回数を減らすことが可能となる。
【００２２】
【発明の効果】
以上説明したように本発明は、
携帯電話機の本体内にこの本体の傾き角度を検出するためのセンサーが組み込まれており、このセンサーは、本体の傾き角度が所定の入力禁止範囲内にあることを検出した時、制御部に指示して、この制御部が入力操作を無効とし得る構造を有すること、あるいは、さらに、このように制御部が入力操作を無効とした状態にある場合に、電話の着信があった場合、入力可能状態に復帰するよう入力可能範囲を修正指示し得る構造を有すること等により、
装置の傾きを検出し、入力禁止状態にある傾きの場合キー入力を受け付けないようにするので、意図していないキー入力の受け付け等による誤動作を防止することができ、また、傾きの検出により特定のキーと同等の処理を行うので、使用者のキー入力回数を減らすことができる、誤動作防止機能付き携帯電話機を提供できる効果がある。
【図面の簡単な説明】
【図１】本発明の誤動作防止機能付き携帯電話機の一実施形態例の機構を示すブロック図である。
【図２】第２の実施形態例の機構を示すブロック図である。
【図３】（ａ）は、電話機本体の縦軸線方向Ｌを示す斜視図、（ｂ）は、縦軸線方向Ｌが本体の横方向に傾く例を示す正面図、（ｃ）は、縦軸線方向Ｌが本体の前後方向に傾く例を示す側面図である。
【符号の説明】
１    アンテナ
２    無線部
３    制御部
４    入力部
５    傾き検出部
６    加速度検出部
Ａ    キー入力受付禁止範囲上限の傾き角
Ｂ    キー入力受付可能範囲下限の傾き角
Ｌ    電話機本体の縦軸線方向
Ｘ，Ｙ，Ｚ    座標軸
【図１】
0004106512.tif 000002
【図２】
0004106512.tif 000003
【図３】
0004106512.tif 000004